(57)【要約】【課題】輻射暖房運転時に光源からの光を輻射体の前面全体に放射して、視覚暖房効果を向上させ、かつ機器本体の前面が高温である注意の喚起をする。【解決手段】輻射体２３に輻射体加熱風路２５を介して相対向させ、上下２枚の形状の異なる上部反射板２９と下部反射板３０を設け、上部反射板２９は複数の波形状を有し、下部反射板３０は開口３０Ａと桟部３０Ｃを有する上下方向に山形形状の多段構成とし、上下反射板２９、３０全体で光源２８からの光を反射し、輻射体２３の裏側全体から光源２８の光を貫通孔２７より前面全体に放射するように構成し、光源２８の光量を大幅に増大させ、使用者がより光源２８の光を認識し易くして、視覚的な暖房感を得ることができ、さらに輻射体の全体に対向する機器本体の前面が高温である注意の喚起をするものである。【選択図】  図１
2004270989.tif 000002
【特許請求の範囲】
【請求項１】
高温ガス発生手段と、縦方向に設け、前記高温ガス発生手段からの高温ガスにより加熱される採熱面を有し、その採熱した熱を輻射エネルギーとして機器本体の前面より放射するとともに、光も略全体から通過するように形成した輻射体と、前記輻射体の下部に対向した連通口より前記高温ガスを導き、前記輻射体の下部から上部へ前記高温ガスを案内する輻射体加熱風路と、前記輻射体加熱風路に臨んで前記輻射体の側部に設けた光源と、前記輻射体を支持する支持板と前記輻射体との間に位置し、前記光源からの光を前記輻射体側へ反射する反射板を備え、前記反射板は形状の異なる２枚の上部と下部の反射板で構成し、前記下部反射板は前記連通口に対向して下流側に位置し、かつ複数の開口と桟部を有する山形形状の多段構成とし、上部と下部の反射板全体で光源からの光を反射し、前記輻射体の略全体から光を前面に放射するようにした暖房装置。
【請求項２】
高温ガス発生手段と、縦方向に設け、前記高温ガス発生手段からの高温ガスにより加熱される採熱面を有し、その採熱した熱を輻射エネルギーとして機器本体の前面より放射するとともに、光も略全体から通過するように形成した輻射体と、前記輻射体の下部に対向した連通口より前記高温ガスを導き前記輻射体の下部から上部へ前記高温ガスを案内する輻射体加熱風路と、前記輻射体加熱風路に臨んで前記輻射体の側部に設けた光源と、空気流を供給する送風機と、前記輻射体の下部に位置し、前記送風機からの空気流と前記高温ガスとが混合した温風を排出する温風吹き出し口と、前記輻射体を支持する支持板と前記輻射体との間に位置し、前記光源からの光を前記輻射体側へ反射する反射板を備え、前記反射板は形状の異なる２枚の上部と下部の反射板で構成し、前記下部反射板は前記連通口に対向して下流側に位置し、かつ複数の開口と桟部を有する山形形状の多段構成とし、上部と下部の反射板全体で光源からの光を反射し、前記輻射体の略全体から光を前面に放射するようにした暖房装置。
【請求項３】
高温ガス発生手段と、縦方向に設け、前記高温ガス発生手段からの高温ガスにより加熱される採熱面を有し、その採熱した熱を輻射エネルギーとして機器本体の前面より放射するとともに、光も略全体から通過するように多数の貫通孔を形成した輻射体と、前記輻射体の下部に対向した連通口より前記高温ガスを導き前記輻射体の下部から上部へ前記高温ガスを案内する輻射体加熱風路と、前記輻射体加熱風路に臨んで前記輻射体の側部に設けた光源と、空気流を供給する送風機と、前記送風機からの空気流を機器本体の上面に沿う本体上面遮熱風路を介して前記輻射体加熱風路と機器本体の間に案内する輻射体遮熱風路と、前記輻射体の下部に位置し、前記送風機からの空気流と前記高温ガスとが混合した温風を排出する温風吹き出し口と、前記送風機からの空気流を前記温風吹き出し口側へ、または前記輻射体遮熱風路側へ切り替え、温風暖房運転、または輻射暖房運転に切り替える風路切替手段と、前記輻射体を支持する支持板と前記輻射体との間に位置し、前記光源からの光を前記輻射体側へ反射する反射板を備え、前記反射板は形状の異なる２枚の上部と下部の反射板で構成し、前記下部反射板は前記連通口に対向して下流側に位置し、かつ複数の開口と桟部を有する山形形状の多段構成とし、上部と下部の反射板全体で光源からの光を反射し、前記輻射体の略全体から光を前面に放射するようにした暖房装置。
【請求項４】
下部反射板は、桟部の断面形状を山形状にした請求項１〜３のいずれか１項記載の暖房装置。
【請求項５】
下部反射板は、桟部の山形状の高さを、桟部の幅の１／３以下にした請求項１〜４のいずれか１項記載の暖房装置。
【請求項６】
下部反射板は、桟部の面積を開口より少なくした請求項１〜５のいずれか１項記載の暖房装置。
【請求項７】
下部反射板は、山形形状の多段構成をずらして上下方向または左右方向へ形成した請求項１〜６のいずれか１項記載の暖房装置。
【請求項８】
輻射体は、裏面を無塗装あるいはメタリック塗装とし、光源の反射面とした請求項１〜７のいずれか１項記載の暖房装置。
【請求項９】
上部と下部の反射板は、反射効率の良い鋼板、あるいはメタリック塗装とした請求項１〜８のいずれか１項記載の暖房装置。
【請求項１０】
下部反射板は、材質をアルミメッキ鋼板にした請求項１〜８のいずれか１項記載の暖房装置。
【請求項１１】
下部反射板は、材質をステンレス鋼板にした請求項１〜８のいずれか１項記載の暖房装置。
【請求項１２】
下部反射板は、山形形状の多段構成の傾斜角度を自在に調整できる構成とした請求項１〜１１のいずれか１項記載の暖房装置。
【請求項１３】
光源をＬＥＤとした請求項１〜１２のいずれか１項記載の暖房装置。
【請求項１４】
光源の光量を周期的に変化させる制御部を備えた請求項１〜１３のいずれか１項記載の暖房装置。
【請求項１５】
光源の光量を輻射体または機器本体の前面等の表面温度に応じて変化させる制御部を備えた請求項１〜１４のいずれか１項記載の暖房装置。
【請求項１６】
光源の光量を暖房能力に応じて変化させる制御部を備えた請求項１〜１５のいずれか１項記載の暖房装置。
【請求項１７】
光源から発生する光に着色し、輻射体内から光源の光を前面に放射するように構成した請求項１〜１６のいずれか１項記載の暖房装置。
【請求項１８】
光源は輻射暖房運転時に発光するように構成した請求項１〜１７のいずれか１項記載の暖房装置。
【発明の詳細な説明】
【０００１】
【発明の属する技術分野】
本発明は、輻射熱を利用した輻射暖房が可能な暖房装置に関するものである。
【０００２】
【従来の技術】
従来この種の暖房装置は、図１３に示すように石油等を燃焼させて燃焼ガス（高温ガスともいう）を発生し、ドラフト作用で高温ガスを流出させる開口部１ａを燃焼筒１ｂの上部に有する高温ガス発生手段１と、高温ガス発生手段１に矢印で示す燃焼用空気と、発生した燃焼ガスに空気を混合させて暖房用の温風とする送風機２と、前記高温ガスにより加熱される採熱面３ａを有し、その採熱した熱を輻射エネルギーとして機器本体６の前面に放射する縦方向に設けた輻射体３と、輻射体３の下部から上部に向って高温ガスを案内し、かつ輻射体３の下部に相対向した連通口４ａを介して高温ガスを導く輻射体加熱風路４と、送風機２からの空気流を本体上面遮熱風路５を介して輻射体加熱風路４と機器本体６の間に流す輻射体遮熱風路７と、送風機２からの空気流と高温ガス発生手段１からの高温ガスが混合風路５ａにて混合した温風を、機器本体６の前面下部で輻射体３の下部に位置して排出する温風吹き出し口８とを備え、そして本体遮熱風路５と混合風路５ａの適所に設け、機器本体６の輻射暖房運転と温風暖房運転とに切り替える風路切替手段９を有している。
【０００３】
すなわち、風路切替手段９を実線で示すように切り替え、送風機２からの空気流を輻射体遮熱風路７側へ流し、高温ガス発生手段１の燃焼筒１ｂの開口部１ａよりドラフト作用で流出した高温ガスが連通口４ａより輻射体加熱風路４の下部に流れ、さらに輻射体加熱風路４に沿って上昇することにより、高温ガスより採熱面３ａで採熱した熱を輻射エネルギーとして放射する輻射体３による輻射暖房と、また風路切替手段９を点線で示すように切り替え、送風機２からの空気流を温風吹き出し口８側へ切り替え、送風機２からの空気流と高温ガス発生手段１からの高温ガスが混合風路５ａにて混合した温風を、温風吹き出し口８から吹出させる温風暖房運転とに切り替えられる。
【０００４】
また機器本体６は、輻射体３の左右の側部において輻射体加熱風路４に臨まして光源１０を設け、そして輻射体加熱風路４の後方に位置して輻射体３を支持した支持板１１の前に配置した反射板１２で光源１０からの光を機器本体６の前面方向へ反射し、輻射体３内からの光源１０の光を輻射体３に設けた多数の細長の貫通孔１３を介して前面に放射し、採熱面３ａで採熱した熱を輻射エネルギーとして放射する輻射体３による輻射暖房と併せて明るい照明による暖房効果を得るように構成していた。
【０００５】
また、輻射体３は輻射体３内から光源１０の光が貫通孔１３を介して前面に放射するようにしてあるので、輻射面に黒色の遠赤塗料等を施しても光源１０からの光は吸収されず輻射体３の表面状態に関わらず、輻射体３内から光源１０の光を前面に直接放射でき、また輻射体３自身から光源１０の光が放射される形となり、輻射体３およびその近傍が高温であること、あるいは高温になることを表示し、視覚的な暖房感を得ることができるとともに触手等により不安全行為を防止することができるようになっていた（特許文献１参照）。
【０００６】
しかしながら、特開２００２−１４７７７１号公報の暖房装置では、高温ガスが最初に流入して一番高温になる輻射体３の下部の裏側には、反射板１２に相当する反射板がなく、輻射体加熱風路４が連通口４ａに直接対向し、輻射体３の下部域から光源１０の光が反射により放射されることがなかった。すなわち、輻射体３の下部域から光源１０の光を反射させるため反射板１２を輻射体３と対向して下側まで延長すると輻射体加熱風路４の連通口４ａが遮られるため、輻射体３の下部までは延長することができず、結果的に光源１０の光が輻射体３の下部域の貫通孔１３から放射されることがない。つまり、輻射体３の略全体から光源１０の光が放射されることがない構成であった。
【０００７】
従って、連通口４ａに対向する輻射体３の下部は輻射熱を発生する輻射面の温度が３００〜５００℃と遠赤外線発生領域であっても視覚的な暖房感が少なくなったり、輻射体３の下部は視覚的に危険感がないため、誤って手を触れたりする恐れがあった。
【０００８】
【特許文献１】
特開２００２−１４７７７１号公報
【０００９】
【発明が解決しようとする課題】
上記従来の問題点に鑑み、本発明が解決しようとする課題は、輻射体の略全体から照明効果による視覚暖房を得るとともに、輻射体の高温注意喚起を同時に行い、安全性の高い暖房装置を実現することである。
【００１０】
【課題を解決するための手段】
本発明は上記目的を達成するために、高温ガス発生手段と、縦方向に設け、前記高温ガス発生手段からの高温ガスにより加熱される採熱面を有し、その採熱した熱を輻射エネルギーとして機器本体の前面より放射するとともに、光も略全体から通過するように形成した輻射体と、前記輻射体の下部に対向した連通口より前記高温ガスを導き、前記輻射体の下部から上部へ前記高温ガスを案内する輻射体加熱風路と、前記輻射体加熱風路に臨んで前記輻射体の側部に設けた光源と、前記輻射体を支持する支持板と前記輻射体との間に位置し、前記光源からの光を前記輻射体側へ反射する反射板を備え、前記反射板は形状の異なる２枚の上部と下部の反射板で構成し、前記下部反射板は前記連通口に対向して下流側に位置し、かつ複数の開口と桟部を有する山形形状の多段構成とし、上部と下部の反射板全体で光源からの光を反射し、前記輻射体の略全体から光を前面に放射するようにした暖房装置である。
【００１１】
上記手段によれば、高温ガスで輻射体の採熱面を高温とし、高温となった輻射体より輻射エネルギーを放射して輻射暖房をすることができるとともに、上部と下部の反射板で光源からの光を反射し、前記輻射体の略全体から光を前面に放射でき、視覚暖房効果と輻射体の略全体の高温注意喚起による安全性の向上を図ることができる。
【００１２】
【発明の実施の形態】
上記した本発明の目的は、各請求項に記載した構成を実施の形態とすることにより達成できるので、以下には各請求項に記載の構成にその構成による作用効果を併記し、併せて請求項記載の構成のうち説明を必要とする特定用語については詳細な説明を加えて本発明の実施の形態とする。
【００１３】
本発明の請求項１記載に係る暖房装置は、高温ガス発生手段と、縦方向に設け、前記高温ガス発生手段からの高温ガスにより加熱される採熱面を有し、その採熱した熱を輻射エネルギーとして機器本体の前面より放射するとともに、光も略全体から通過するように形成した輻射体と、前記輻射体の下部に対向した連通口より前記高温ガスを導き、前記輻射体の下部から上部へ前記高温ガスを案内する輻射体加熱風路と、前記輻射体加熱風路に臨んで前記輻射体の側部に設けた光源と、前記輻射体を支持する支持板と前記輻射体との間に位置し、前記光源からの光を前記輻射体側へ反射する反射板を備え、前記反射板は形状の異なる２枚の上部と下部の反射板で構成し、前記下部反射板は前記連通口に対向して下流側に位置し、かつ複数の開口と桟部を有する山形形状の多段構成とし、上部と下部の反射板全体で光源からの光を反射し、前記輻射体の略全体から光を前面に放射するようにしたものである。
【００１４】
上記実施の形態によれば、高温ガスは輻射体の下部に対向した連通口より下部反射板の複数の開口を容易に通過して輻射体加熱風路の下部に流入し輻射体加熱風路の下部から上部へ上昇して高温ガスで輻射体の採熱面を高温とし、高温となった輻射体より輻射エネルギーを放射して輻射暖房をすることができる。
【００１５】
また、反射板を構成する上部と下部の反射板において下部反射板は、山形形状の多段構成であって、かつ複数の開口を設け、連通口に対向した輻射体の下部に対向しているので、高温ガスは連通口から輻射体加熱風路の下部に下部反射板の複数の開口を容易に通過して流入し、一方、光源からの光は山形形状の多段構成であって、かつ複数の開口を構成する下部反射板の桟部で前方へ反射され、上部反射板の反射作用と併せて前記輻射体の略全体から光を輻射体の前方へ貫通孔を介して放射でき、視覚暖房効果と輻射体の略全体の高温注意喚起による安全性の向上を図ることが可能になる。
【００１６】
請求項２記載に係る暖房装置は、高温ガス発生手段と、縦方向に設け、前記高温ガス発生手段からの高温ガスにより加熱される採熱面を有し、その採熱した熱を輻射エネルギーとして機器本体の前面より放射するとともに、光も略全体から通過するように形成した輻射体と、前記輻射体の下部に対向した連通口より前記高温ガスを導き前記輻射体の下部から上部へ前記高温ガスを案内する輻射体加熱風路と、前記輻射体加熱風路に臨んで前記輻射体の側部に設けた光源と、空気流を供給する送風機と、前記輻射体の下部に位置し、前記送風機からの空気流と前記高温ガスとが混合した温風を排出する温風吹き出し口と、前記輻射体を支持する支持板と前記輻射体との間に位置し、前記光源からの光を前記輻射体側へ反射する反射板を備え、前記反射板は形状の異なる２枚の上部と下部の反射板で構成し、前記下部反射板は前記連通口に対向して下流側に位置し、かつ複数の開口と桟部を有する山形形状の多段構成とし、上部と下部の反射板全体で光源からの光を反射し、前記輻射体の略全体から光を前面に放射するようにしたものである。
【００１７】
上記実施の形態によれば、高温ガスは輻射体の下部に対向した連通口より下部反射板の複数の開口を容易に通過して輻射体加熱風路の下部に流入し輻射体加熱風路の下部から上部へ上昇して高温ガスで輻射体の採熱面を高温とし、高温となった輻射体より輻射エネルギーを放射して輻射暖房をすることができる。そして、送風機からの空気流と前記高温ガスとが混合した温風は、温風吹き出し口より吹出して温風暖房を行なうことが可能になる。
【００１８】
また、反射板を構成する上部と下部の反射板において下部反射板は、山形形状の多段構成であって、かつ複数の開口を設け、連通口に対向した輻射体の下部に対向しているので、高温ガスは連通口から輻射体加熱風路の下部に下部反射板の複数の開口を容易に通過して流入し、一方、光源からの光は山形形状の多段構成であって、かつ複数の開口を構成する下部反射板の桟部で前方へ反射され、上部反射板の反射作用と併せて前記輻射体の略全体から光を輻射体の前方へ放射でき、視覚暖房効果と輻射体の略全体の高温注意喚起による安全性の向上を図ることが可能になる。
【００１９】
請求項３記載に係る暖房装置は、高温ガス発生手段と、縦方向に設け、前記高温ガス発生手段からの高温ガスにより加熱される採熱面を有し、その採熱した熱を輻射エネルギーとして機器本体の前面より放射するとともに、光も略全体から通過するように多数の貫通孔を形成した輻射体と、前記輻射体の下部に対向した連通口より前記高温ガスを導き前記輻射体の下部から上部へ前記高温ガスを案内する輻射体加熱風路と、前記輻射体加熱風路に臨んで前記輻射体の側部に設けた光源と、空気流を供給する送風機と、前記送風機からの空気流を機器本体の上面に沿う本体上面遮熱風路を介して前記輻射体加熱風路と機器本体の間に案内する輻射体遮熱風路と、前記輻射体の下部に位置し、前記送風機からの空気流と前記高温ガスとが混合した温風を排出する温風吹き出し口と、前記送風機からの空気流を前記温風吹き出し口側へ、または前記輻射体遮熱風路側へ切り替え、温風暖房運転、または輻射暖房運転に切り替える風路切替手段と、前記輻射体を支持する支持板と前記輻射体との間に位置し、前記光源からの光を前記輻射体側へ反射する反射板を備え、前記反射板は形状の異なる２枚の上部と下部の反射板で構成し、前記下部反射板は前記連通口に対向して下流側に位置し、かつ複数の開口と桟部を有する山形形状の多段構成とし、上部と下部の反射板全体で光源からの光を反射し、前記輻射体の略全体から光を前面に放射するようにしたものである。
【００２０】
上記実施の形態によれば、高温ガスは輻射体の下部に対向した連通口より下部反射板の複数の開口を容易に通過して輻射体加熱風路の下部に流入し輻射体加熱風路の下部から上部へ上昇して高温ガスで輻射体の採熱面を高温とし、高温となった輻射体より輻射エネルギーを放射して輻射暖房をすることができる。そして、送風機からの空気流と前記高温ガスとが混合した温風は、温風吹き出し口より吹出して温風暖房を行なうことが可能になる。
【００２１】
また、反射板を構成する上部と下部の反射板において下部反射板は、山形形状の多段構成であって、かつ複数の開口を設け、連通口に対向した輻射体の下部に対向しているので、高温ガスは連通口から輻射体加熱風路の下部に下部反射板の複数の開口を容易に通過して流入し、一方、光源からの光は山形形状の多段構成であって、かつ複数の開口を構成する下部反射板の桟部で前方へ反射され、上部反射板の反射作用と併せて前記輻射体の略全体から光を輻射体の前方へ貫通孔を介して放射でき、視覚暖房効果と輻射体の略全体の高温注意喚起による安全性の向上を図ること可能になる。
【００２２】
また、風路切替手段は送風機からの空気流を輻射体遮熱風路側、または温風吹き出し口側へ切り替えて温風暖房運転と輻射暖房運転に切り替える。すなわち、送風機からの空気流を輻射体遮熱風路側か、または温風吹き出し口側へ切り替える風路切替手段を有するので、風路切替手段が送風機からの空気流を輻射体遮熱風路側へ切り替えたときには輻射暖房運転となり、送風機からの空気流が輻射体遮熱風路へ流れ、高温ガス発生手段からの高温ガスに下方へ流れる力が働かなくなり、その熱によるドラフト作用で高温ガスは上方へ流れ、輻射体加熱風路へ導かれるようになる。そして、高温ガスで輻射体の採熱面を高温とし、高温となった輻射体よりその採熱した熱が輻射エネルギーとして発生し、輻射暖房をすることができる。
【００２３】
そして、風路切替手段が送風機からの空気流を温風吹き出し口側へ切り替えたときには温風暖房運転となり、送風機からの空気流が下方へ流れ高温ガス発生手段からの高温ガスを温風吹き出し口側へ導き、送風機からの空気流と高温ガス発生手段からの高温ガスを混合して、温風として温風吹き出し口から排出する温風暖房をすることができる。
【００２４】
さらに、輻射暖房運転時には、送風機からの空気流を、本体上面遮熱風路を介して輻射体加熱風路と機器本体の間に形成した輻射体遮熱風路に流すので、高温となった輻射体からの熱の機器本体への熱伝導を低減することができ、安全性の高い、使い勝手に応じて暖房形態を自由に選択できる快適な暖房装置を提供することができる。
【００２５】
さらに、輻射体内から光源の光を輻射体に設けた貫通孔を介して前面に放射するようにしてあるので、輻射体の輻射面に黒色の遠赤塗料等を施しても光源からの光は吸収されず輻射体の表面状態に関わらず、輻射体内から光源の光を前面に直接放射でき、また輻射体自身から光源の光が放射される形となり、機器本体前面で輻射体に対向した輻射部およびその近傍が高温であること、あるいは高温になることを表示し、視覚的な暖房感を得ることができるとともに触手等により不安全行為を防止することができる。
【００２６】
また、輻射体と支持体の側部に光源を設け、輻射体と支持体間において光源からの光を上下２枚の反射板による全面で反射し、下部反射板は複数の開口と桟部を有する山形形状の多段構成にし、開口より輻射体加熱風路への高温ガスの流入を確保するとともに開口以外の桟部の全体で光源からの光を反射する。しかも、多段構成にすることで輻射体と支持体間の隙間が狭い時でも上下または左右の傾斜角度が確保でき、光源が輻射体加熱風路の上部外側面にあっても光源の光を受けることができ、奥行きをとらないコンパクトな輻射体ユニットを構成できる。
【００２７】
また、輻射体は全体から光源の光を通過させて前面に放射するようにしてあるので、輻射体と支持体の側部の内面を光源の光を反射しやすくなるように金属光沢面にするなどの手段を施すことができ、かつ光源の光を増やすことなく効率良く反射することができ、そして光源の光量も増やすことができ、安価で光源の効果が大きく得られるようになる。
【００２８】
さらに、高温となる輻射体の背面に光源を配設していないので、光源の温度低下が図れるとともに、片側の光源でも輻射体を広範囲に光を照射することができるようになる。
【００２９】
請求項４記載に係る暖房装置は、請求項１〜３のいずれか１項記載において、下部反射板は桟部を断面形状が山形状にしたもので、光源は輻射体と支持体の側部であるにも関らず光源の光を、桟部の両面の山形傾斜面で均一に光源からの光を効率的に反射し、連通口に対向する輻射体のほぼ全体を間接的に効率良く発光せしめ、輻射体内から光源の光を通過させて前面に放射する光源の光量を増大して光源の光を有効に使用でき、より一層光源の点灯効果が増すことができるようになるとともに、開口を設けることによる強度劣化を桟部の山形状で補強することができ、強度を落とすことなく形成できる。
【００３０】
請求項５記載に係る暖房装置は、請求項１〜４のいずれか１項記載において、下部反射板は、桟部の山形状の高さを、桟部の幅の１／３以下にしたもので、輻射体と支持体との間の上部外側面に位置する光源の光を、下部反射板の桟部両面の山形傾斜面で受け易く、しかもある程度の幅でもって強く受けることになる。上記した以上幅が広がると光の強度が弱くなる。上記寸法程度にすることで、均一に光源からの光を効率的に反射し、輻射体の下部全体を間接的に効率良く発光せしめ、輻射体内から光源の光を通過させて前面に放射する光源の光量を増大して光源の光を有効に使用でき、より一層の光源の点灯効果が増すことができるようになる。
【００３１】
請求項６記載に係る暖房装置は、請求項１〜５のいずれか１項記載において、下部反射板は、桟部の面積を開口より少なくしたもので、下部反射板の開口を多くすることにより、多くの開口により連通口から輻射体加熱風路への通路を充分確保することができ輻射体への加熱を妨げることなく性能が確保できるとともに、その開口から光源の光が通過して多段構成における下段の桟部の山形傾斜面に当たりここで反射する。また、前記した下段の次の下段も上記と同様の作用をなすものである。従って、強い反射光が下部反射板の多段構成の何段にも渡って得られ光源の光量を増大して光源の光を有効に使用でき、より一層の光源の点灯効果が増すことができるようになる。
【００３２】
請求項７記載に係る暖房装置は、請求項１〜６のいずれか１項記載において、下部反射板は、山形形状の多段構成をずらして上下方向または左右方向へ形成したもので、光源からの光が下部反射板の上段の桟部に当たれば、その下段は影となり光が来なくなり、桟部で反射しない部分が発生することになるが、これを退けるために本実施の形態では桟部を上下同列ではなく、ずらすことで光源の光を有効に使用でき、より一層の光源の点灯効果が増すことができるようになる。
【００３３】
請求項８記載に係る暖房装置は、請求項１〜７のいずれか１項記載において、輻射体は、裏面を無塗装あるいはメタリック塗装とし、光源の反射面としたもので、輻射体の裏面の反射作用により、光源からの光が反射板で輻射体裏面に反射し、さらに輻射体裏面から上部と下部の反射板に反射して再度、輻射体側に反射の繰り返しにより、確実に反射板全体からの光が輻射体を通過し輻射体の前面の略全体に放射でき、しかも側面の光源であっても全体のバランスが取れやすく、また、光源の光量も増やすことができ、より一層の光源の点灯効果を増すことができる。
【００３４】
請求項９記載に係る暖房装置は、請求項１〜８のいずれか１項記載において、上部と下部の反射板は、反射効率の良い鋼板、あるいはメタリック塗装としたもので、上部と下部の反射板により光源からの光を効率良く反射することで光源の光量も増やすことができ、より一層の光源の点灯効果を増すことができる。
【００３５】
請求項１０記載に係る暖房装置は、請求項１〜８のいずれか１項記載において、下部反射板は材質をアルミメッキ鋼板にしたもので、アルミメッキ鋼板の下部反射板により光源からの光を効率良く反射することで光源の光量も増やすことができ、しかも耐熱性を有しているため耐久性にすぐれ、いつまでも反射効率を失うことなくより一層の光源の点灯効果を増すことができるとともに、寿命的にも保証された暖房装置を提供できる。
【００３６】
請求項１１記載に係る暖房装置は、請求項１〜８のいずれか１項記載において、下部反射板は、材質をステンレス鋼板にしたもので、ステンレス鋼板の下部反射板により光源からの光を効率良く反射することで光源の光量も増やすことができ、しかも耐熱性を有しているため耐久性にすぐれ、いつまでも反射効率を失うことなくより一層の光源の点灯効果を増すことができるとともに、寿命的にも保証された暖房装置を提供できる。
【００３７】
請求項１２記載に係る暖房装置は、請求項１〜１１のいずれか１項記載において、下部反射板は多段構成の傾斜角度を自在に調整できるように形成したもので、光源からの光が下部反射板の桟部に当たればその下段は影となり光が来なくなり、桟部で反射しない部分、または光の弱い部分が発生することになるが、これを退けるため本実施の形態では、山形形状の多段構成におけるそれぞれの傾斜角度を変えることにより、光源の光を有効に受光でき、より一層の光源の点灯効果を増すことができるようになる。
【００３８】
請求項１３記載に係る暖房装置は、請求項１〜１２のいずれか１項記載において、光源をＬＥＤとしたもので、ＬＥＤの光源により一般のフィラメント発熱型のランプに比べフィラメントを予熱せずに点灯可能なため、また、フィラメント発熱型の光源に比べ高温部が少ないために寿命時間が長く、暖房装置のごとく使用時間が長い場合に故障の頻度を少なくすることができるとともに、光源の薄型化が図れ、またその光源自身の発熱も少ないため、該機器への温度影響も心配することなく輻射体と支持体の側部にコンパクトな光源の配設が容易となる。
【００３９】
請求項１４記載に係る暖房装置は、請求項１〜１３のいずれか１項記載において、光源の光量を周期的に変化させる制御部を備えたもので、制御部により光源の光量を周期的に変化させて輻射体内から光源の光を通過させ輻射体前面に放射する光量を変化させることができ、従って輻射面の明るさが変化して明暗の繰り返しによる視覚的に表示が明確になるために、輻射体が加熱されている状態が強調され、不安全行為を防止することができる。
【００４０】
請求項１５記載に係る暖房装置は、請求項１〜１４のいずれか１項記載において、光源の光量を輻射体または機器本体の前面等の表面温度に応じて変化させる制御部を備えたもので、制御部により光源の光量を輻射体または機器本体の前面等の表面温度に応じて変化させられ、例えば輻射体表面温度が高い場合は光源の光量を明るく、輻射体表面温度が低い場合は光源の光量を少なくすることによって、輻射体または機器本体の前面等の表面温度が表示でき、機器本体の前面に手を触れる等の不安全行為を防止することができる。
【００４１】
請求項１６記載に係る暖房装置は、請求項１〜１５のいずれか１項記載において、光源の光量を暖房能力に応じて変化させる制御部を備えたもので、制御部により光源の光量を暖房能力に応じて変化させられ、例えば暖房能力が高い場合は光源の光量を明るく、暖房能力が低い場合は光源の光量を少なくすることによって、暖房能力が表示でき、一目で暖房能力が確認できるために、能力調整の操作を容易にできるとともに、使い勝手を向上できる。
【００４２】
請求項１７記載に係る暖房装置は、請求項１〜１６のいずれか１項記載において、光源から発生する光に着色し、輻射体内から光源の光が貫通孔を介して前面に放射する構成としたもので、光源の光は着色光となり、輻射体内から貫通孔を介して輻射体の前面に着色光が放射され、輻射体から得られる輻射熱によって体感的な暖房効果に加えて、例えば光源から発生する光を暖色に着色することによって、輻射面を視覚的に暖かく表示することが可能となり、視覚的な暖房効果をより高め、一層の快適な暖房感を得ることができる。
【００４３】
請求項１８記載に係る暖房装置は、請求項１〜１７のいずれか１項記載において、光源は輻射暖房運転時に発光するようしたもので、輻射暖房運転時に光源から光を発することで、輻射暖房運転が明確になり、使い勝手を向上できるとともに、輻射暖房時の輻射体の高温注意換気を行うことができ、かつ視覚による輻射暖房効果を高めることができ、さらには温風暖房運転時に点灯しないようにすれば、輻射暖房運転と温風暖房運転の区別が明確になり、一層の使い勝手の向上に繋げることが可能になる。
【００４４】
【実施例】
以下、本発明の実施例について図面を用いて説明する。
【００４５】
（実施例１）
図１は本発明の実施例１における暖房装置の輻射暖房運転時の断面図で、図２は暖房装置の温風暖房運転時の断面図で、図３は同じく輻射部分の要部切欠斜視図で、図４は同じく輻射部分の下部反射板の要部正面図で、図５は同じく輻射部分の下部反射板の要部断面図で、図６は同じく輻射部分における下部反射板の山形形状の断面図で、図７は同じく輻射部分の概略横断面図で、図８は同暖房装置の制御部ブロック図である。
【００４６】
図１〜図８において、２１は高温ガス発生手段で、本実施例では石油等の燃料を燃焼させる燃焼部で構成し、この高温ガス発生手段２１で生じた燃焼排ガス（高温ガスともいう）をドラフト作用で上方へ導き、機器本体（筐体）３２の前面に向いた開口部２２ａより流出させるように配設した燃焼筒２２で覆われている。
【００４７】
２３は、高温ガス発生手段２１で発生した高温ガスにより加熱された熱を輻射エネルギーとして発生し、機器本体（筐体）３２の前面より放射する輻射体で、この背面側に間隔を有して設けた支持板２４に縦方向のやや上向きに傾斜させて固定し、支持板２４との間に輻射体加熱風路２５を形成している。
【００４８】
輻射体加熱風路２５は、燃焼筒２２の開口部２２ａに相対向した連通口２５ａよりドラフト作用で高温ガスを導き、さらに輻射体２３の下部より上部に流して、その過程において高温ガスの熱を輻射体２３の採熱面２６である裏面及び表面で採熱し、その採熱した熱を輻射エネルギーとして放射するように構成している。すなわち、輻射体２３には多数の貫通孔２７が配設してあり、輻射体加熱風路２５からの高温の燃焼排ガスが貫通孔２７を通過して輻射体２３の表側にも流れ、結果として輻射体２３の表裏の両面に高温ガスを流し、輻射体２３の両面が採熱面２６となるようにしてある。
【００４９】
２８は複数のＬＥＤからなる光源で、輻射体２３の両外側部であって、かつ輻射体２３と支持板２４の間である輻射体加熱風路２５に臨まして縦方向に２列配設し、点灯により輻射体加熱風路２５に光を照射し、輻射体２３の裏側から光源２８の光を貫通孔２７より輻射体２３の前面側へ放射するように構成している。
【００５０】
２９は、連通口２５ａに対向する部分を除いた輻射体２３の裏面に相対向する大きさで、左右の両端部を支持板２４に固定し、左右両端部から中央部に向って徐々に高くして光源２８の１列が見える程度の高さの山形形状に形成した複数の波形部２９ａを有する上部反射板で、輻射体加熱風路２５から離した背部に位置して光源２８からの光を波形部２９ａの斜面で反射させ、輻射体２３の裏側から光源２８の光が貫通孔２７を通過して前面に放射するようになっている。
【００５１】
３０は、連通口２５ａに相対向して下流側に位置し、かつ複数の開口３０Ａと開口を構成する桟部３０Ｃを有し、上下方向へ山形形状を多段に形成した山形形状の多段構成の下部反射板で、輻射体２３の下部に相対向して上部反射板２９の下部に設けて輻射体加熱風路２５の背部に位置している。また下部反射板３０は、アルミメッキ鋼板またはステンレス鋼で形成し、山形形状の多段構成なので、上下方向への山形形状による多段の傾斜面３０Ｂを有し、かつ多段構成における山形形状の傾斜角度を自在に調整できるように形成し、桟部３０Ｃは断面形状を山形状にして山形傾斜面３０Ｅを有する。そして、下部反射板３０の桟部３０Ｃは、光源２８からの光を効率よく反射させるため、桟部３０Ｃの山形状の高さＥを桟部３０Ｃの幅Ｗの１／３以下に設定し、また桟部３０Ｃの面積を開口より少なくし、さらには下部反射板３０は山形形状の多段構成を同列ではなく上下方向でずらしている。
【００５２】
このような下部反射板３０は、複数の大面積の開口３０Ａにより、連通口２５ａから輻射体加熱風路２５に導く高温ガスを通路抵抗の小さい状態で案内するとともに、光源２８からの光を多段に存在する傾斜面３０Ｂの桟部３０Ｃの山形傾斜面３０Ｅで輻射体２３の下部裏面側に反射させ、貫通孔２７を通過させて輻射体２３の下部前面からも光源２８の光を放射するように構成している。従って、上部反射板２９と下部反射板３０で以って、輻射体２３の面積全体に光源２８の光を反射させる反射板を構成しているものである。また、この上部と下部の反射板２９、３０は、反射効率の良い鋼板、あるいはメタリック塗装してもよいものである。
【００５３】
３１は、支持板２４と機器本体３２の間に比較的に温度の低い空気流を流し、輻射暖房運転時に輻射体加熱風路２５から機器本体３２への熱伝導を低減する輻射体遮熱風路で、その流した空気を機器本体３２の上部に配設した排出口３１Ａより排出し、部屋の空気の循環流を形成するようにしてある。
【００５４】
３３は、輻射体加熱風路２５下方に位置させて輻射体２３の下部に配置した温風吹き出し口で、高温ガス発生手段２１で生じた燃焼排ガスと機器本体３２の背面に設けた送風機３４により吸引された室内空気流とが混合して形成された温風を排出するようになっている。送風機３４は、温風用の空気と高温ガス発生手段２１への燃焼用の空気とを供給するものである。
【００５５】
３５は、燃焼筒２２の上方と機器本体３２との間に形成した本体上面遮熱風路で、送風機３４からの空気流を輻射体遮熱風路３１側と温風吹き出し口３３側へ風路切替手段３６の切り替え操作で案内する。すなわち、風路切替手段３６は、一端部を輻射体ユニット３８に回転自在に設け、図１、図２に点線で示す方向に回転させて送風機３４による空気流を、輻射体遮熱風路３１側に切り替えて輻射暖房運転、あるいは温風吹き出し口３３側へ切り替えて温風暖房運転に切り替えられるようになっている。輻射体ユニット３８は、機器本体３２の輻射部を成し、温風吹き出し口３３の上部で機器本体３２の前面であって輻射体２３の貫通孔２７を通過した光源２８の光が見えるように構成されている。
【００５６】
３７は、機器本体３２に設けた操作部４０等からの指示により、電気的に接続している高温ガス発生手段２１、光源２８、送風機３４、風路切替手段３６、安全装置３９等を制御して暖房装置の運転、停止等を行なう制御部で、マイクロコンピュータ及びその周辺回路で構成され、操作部４０で設定された運転条件等に基づいて、高温ガス発生手段２１や送風機３４や光源２８を予め決められたシーケンスで制御するプログラムを格納している。３９は過熱防止装置で、送風機３４のロックや輻射体２３の閉塞などにより機器本体３２の過熱などの異常が発生した場合の安全装置で、光源２８側に設置してある。
【００５７】
上記実施例において、図１に示すように風路切替手段３６が送風機３４からの空気流を、輻射体遮熱風路３１側へ切り替えた時には輻射暖房運転となり、送風機３４からの空気流が本体上面遮熱風路３５を経て輻射体遮熱風路３１へと流れ、排出口３１Ａから排出される。一方、高温ガス発生手段２１で生じた燃焼排ガスは、送風機３４からの空気流が風路切替手段３６で遮られて温風吹き出し口３３側である下方へ流れる力を受けないので、燃焼筒２２の上方へ流れ開口部２２ａより、その熱によるドラフト作用でさらに上方へ流れ、連通口２５ａより下部反射板３０の複数の開口３０Ａを通過して輻射体加熱風路２５の下部へ導かれ、そして輻射体２３の裏面に沿って下部から上部へと流れ、そしてその過程で多数の貫通孔２７より表面側にも流出して輻射体２３の表面側を上昇する。
【００５８】
そして、高温ガス発生手段２１で生じた高温の燃焼排ガスで輻射体２３の採熱面２６を高温とし、その採熱面２６で採熱した熱を輻射体２３より輻射エネルギーとして発生して機器本体３２の前面より放射し、輻射暖房をすることができるようになる。また、図２に示すように風路切替手段３６が送風機３４からの空気流を温風吹き出し口３３側へ切り替えた時には温風暖房運転となり、送風機３４からの空気流が本体上面遮熱風路３５を経て風路切替手段３６に案内され、燃焼筒２２の前面下方へ流れ高温ガス発生手段２１で生じ開口部２２ａより流出した燃焼排ガスを温風吹き出し口３３側へ導き、送風機３４からの空気流と混合して温風とし、この温風を温風吹き出し口３３から排出して温風暖房をすることができるようになる。
【００５９】
本実施例では、輻射暖房運転時に輻射体２３と輻射体２３の支持された支持体２４との間の輻射体加熱風路２５の背面と機器本体３２の間に送風機３４からの空気流を、本体上面遮熱風路３５を介して流す輻射体遮熱風路３１を配設しているので、高温となった輻射体２３からの熱から機器本体３２への熱伝導を低減することができるようになる。
【００６０】
従って、風路切替手段３６で送風機３４からの空気流を輻射体遮熱風路３１側、あるいは温風吹き出し口３３側へ切り替えることによって、輻射暖房運転あるいは温風暖房運転に簡単に切り替えができるようになり、また広い面積の輻射体２３が高温となりその伝熱によって機器本体３２の温度が上がりやすい輻射暖房運転時において、輻射体遮熱風路３１に送風機３４からの空気流を流すので、機器本体３２の温度も低く保て、火傷や輻射体２３の近傍に配置してある部品の耐熱性の心配もなくなる。
【００６１】
つまり、風路切替手段３６が送風機３４からの空気流を輻射体遮熱風路３１側へ切り替えられた輻射暖房運転時は、送風機３４からの空気流が輻射体遮熱風路３１へ流れ、燃焼排ガスには燃焼筒２２の排出口である開口部２２ａより下方に位置する温風吹き出し口３３へ流れる力が働かなくなり、その熱によるドラフト作用で燃焼排ガスは上方へ流れ、連通口２５ａより下部反射板３０の開口３０Ａを通じて輻射体加熱風路３１の下部へ導かれるようになる。
【００６２】
また、風路切替手段３６が送風機３４からの空気流を温風吹き出し口３３側へ切り替えた温風暖房運転時は、送風機３４からの空気流が風路切替手段３６に案内され温風吹き出し口３３へ流れ燃焼筒２２から排出される燃焼排ガスを燃焼筒２２の排出口である開口部２２ａより下方にある温風吹き出し口３３側へ導かれるようになる。
【００６３】
従って、燃焼排ガスの上方へ流れようとするドラフト力と、送風機３４からの空気流でその燃焼排ガスを下方へ流そうとする力の上下方向のバランスを、高温ガス切り替え手段である風路切替手段３６で切り替えることによって、スムーズに高温ガスの流れを制御できるようになり、輻射暖房運転と温風暖房運転を簡単に切り替えができるようになる。
【００６４】
さらに、輻射暖房運転時には輻射体２３に多数の貫通孔２７が設けてあるので、高温ガス発生手段２１からの高温の燃焼排ガスが輻射体２３の裏面及び貫通孔２７を通り表面に沿った両面を流れ、その輻射体２３の採熱面２６が輻射体２３の表裏の両面になるので、輻射体２３の採熱面積が倍となってその効率がほぼ倍となり、輻射体２３の温度を高温にすることができるようになり、輻射体２３より輻射エネルギーとして発生する量が大幅に向上する。
【００６５】
また、輻射体２３は輻射体２３内から光源２８の光を上部反射板２９と下部反射板３０の全体で反射して貫通孔２７より前面に放射するようにしてあるので、輻射体２３の輻射面に黒色の遠赤塗料等を施しても光源２８からの光は吸収されず輻射体２３の表面状態に関わらず、輻射体２３の全面から光源２８の光を前面に直接放射でき、また輻射体２３自身から光源２８の光が放射される形となり、より光源２８の点灯効果が増し、さらに機器本体３２の輻射体２３に相対向する前面である輻射部およびその近傍が高温であること、あるいは高温になることを表示し、視覚的な暖房感を得ることができるとともに、輻射部への触手等による焼けど等の不安全行為を防止することができる。
【００６６】
また、輻射体２３と支持体２４の間の両外側部において輻射体加熱風路２５に臨まして光源２８を設け、この光源２８からの光を輻射体加熱風路２５に通し、輻射体２３の裏面側から光源２８の光が貫通孔２７より前面に放射するようにしてあるので、輻射体２３と支持体２４の側部２４ａの内面を光源２８の光を反射しやすくなるように金属光沢面とする等の手段を施すことで、前面に放射する光源２８の光量も増やすことができるようになる。
【００６７】
そして、光源２８は輻射体２３と支持体２４の間の両外側部において輻射体加熱風路２５に臨ましてあるので、輻射体２３の裏面側から光源２８の光を貫通孔２７より前面に放射する光源２８のバランスが取れやすく、また、光源２８の光量も増やすことができ、より一層の光源２８の点灯効果が増すことができるようになる。
【００６８】
さらに、図７に示すように支持板２４に複数の波形状を有する上部反射板２９を設け、かつ上部反射板２９を全体的に中央部が高く左右端部が低くなるような山形形状とし、光源２８からの光を上部反射板２９の波形部２９ａの斜面で反射させ、輻射体２３の裏面側から光源２８の光を貫通孔２７より前面に放射するようにしてあるので、上部反射板２９の波形状の効果と山形形状の効果が同時に得られる。つまり、輻射体２３の前方へ放射される光源２８の光量に強弱のアクセントが波形部２９ａの波に対応して規則正しくつき、使用者がより光源２８の光を認識しやすくなるとともに、光源２８からの光が上部反射板２９の山形形状の斜面に反射して輻射体２３の裏面側から貫通孔２７を介して前面に放射する量が大幅に増大させることができるようになり、より一層の光源２８の点灯効果が増すことができるようになる。
【００６９】
詳しく説明すると、前者の上部反射板２９の波形状の効果は、光源２８からの光が上部反射板２９の波形部２９ａの斜面で反射して輻射体２３の裏面側から貫通孔２７を介して前面に放射され、上部反射板２９の波形部２９ａの斜面で反射された光源２８からの光が強く、また光源２８から直接あるいはその他の部分での反射によって輻射体２３の裏面側から貫通孔２４を介して前面に放射された光源２８からの光は弱くなり、輻射体２３の前方へ放射される光源２８の光量に強弱のアクセントが上部反射板２９の波形部２９ａに対応して規則正しくつき、使用者がより光源２８の光を明るく感じるようになり認識しやすくなる。
【００７０】
また、後者の上部反射板２９の山形形状効果は、輻射体２３と支持体２４の外側部両面から光源２８の光を放射した時に、輻射体２３内から貫通孔２７を介して前面に放射される分と直進して前面に放射されない分が生じるが、後者の直進して放射されない分を上部反射板２９の山形形状によって遮り、その分を反射して前面に放射することができるようになり、この山形形状の山部分が輻射体２３に近いほど（山形形状の高い部分ほど）、光源２８の光を前面に放射でき、輻射体２３内から貫通孔２７を介して前面に放射する量が大幅に増大させることができるようになる。
【００７１】
さらに、上部反射板２９の下部において輻射体２３の下部に相対向し、かつ桟部３０Ｃで構成された多数の開口３０Ａを有して上下方向に山形形状を多段に構成して傾斜面３０Ｂを形成した下部反射板３０を設けているので、下部反射板３０は輻射体加熱風路２５を妨げることなく光源２８の光を受けて桟部３０Ｃにより輻射体２３側へ反射することができるとともに、開口３０Ａから通過した光を下段の傾斜面３０Ｂに受けて反射し、光源２８の光を前方に放射でき、輻射体２３内から貫通孔２７を介して前面に放射する量が大幅に増大させることができるようになる。
【００７２】
また、下部反射板３０は多段構成の山形形状の角度３０Ｆは例えばアルミメッキ鋼板等を折り曲げて角度を保っているので、自由に角度調整することができるため下段の傾斜面３０Ｂの受光が最適に調節でき、効率よく光源２８の光を前方に放射でき、輻射体２３内から貫通孔２７を介して前面に放射する量が大幅に増大させることができるようになる。
【００７３】
また、下部反射板３０の桟部３０Ｃは山形状としたので、光源２８からの光を下部反射板３０の桟部３０Ｃの山形傾斜面３０Ｅにより反射させることができる。そして、山形状の高さＥを幅Ｗの１／３程度の寸法に設定しているので、桟部３０Ｃの山形傾斜面３０Ｅで光を受け易く、しかもある程度の幅でもって強く受けることになる。上記した以上に幅Ｗが広がると光の強度が弱くなる。上記寸法程度にすることで、均一に光源２８からの光を効率的に反射し、輻射体２３下部の略全体を間接的に効率良く発光せしめ、輻射体２３内から光源２８の光が貫通孔２７を介して前面に放射する光源２８の光量を増大して光源２８の光を有効に使用でき、より一層の光源の点灯効果が増すことができるようになる。
【００７４】
また、下部反射板３０の桟部３０Ｃの面積を開口３０Ａより少なくしているので、輻射体加熱風路２５を充分確保することができ輻射体２３への加熱を妨げることなく性能を確保できるとともに、その開口３０Ａから光源２８の光が通過して下段の桟部３０Ｃの山形傾斜面３０Ｅに当たり、ここで反射する。そして、次の下段の桟部３０Ｃも上記と同様の作用をするものである。
【００７５】
このように構成することで強度のある光が何段にも渡って得られ光源２８の光量を増大して光源２８の光を有効に使用でき、より一層の光源の点灯効果が増すことができるようになる。
【００７６】
すなわち、下部反射板３０の上下方向への山形形状の多段構成による多段の傾斜面３０Ｂの効果は、上部外側面に位置する光源２８からの光が下部反射板３０の上下方向への多段の傾斜面３０Ｂで反射して輻射体２３内から貫通孔２７を介して前面に放射される。このように上下方向への山形形状の多段構成にすることにより、光源２８からの光を受け易い角度を得ることができ、しかも多段構成により下の傾斜面３０Ｂにも開口３０Ａを通過した光により、傾斜面で反射して輻射体２３内から貫通孔２７を介して前面に放射できる。
【００７７】
また、下部反射板３０における桟部３０Ｃの山形傾斜面３０Ｅの形状効果は、上部外側面に位置する光源２８からの光が下部反射板３０における桟部３０Ｃの山形傾斜面３０Ｅに当たりこの面から反射される。同じように次の下段の桟部３０Ｃにおける左右の山形傾斜面３０Ｅにも開口３０Ａを通過した光が当たり反射して輻射体２３内から貫通孔２７を介して前面に放射できる。
【００７８】
以上のように下部反射板３０において、上下方向への山形形状を多段構成にすることで形成された傾斜面３０Ｂ及び桟部３０Ｃの山形傾斜面３０Ｅで、上部外側面に位置する光源２８からの光を効率的に受け、前記の両傾斜面で反射して輻射体２３内から貫通孔２７を介して前面に放射できる。また、桟部３０Ｃを同列でなく上下方向でずらすことで光源２８からの光が下部反射板３０の桟部３０Ｃに当たれば次の下段は影となり光が来なくなり、桟部３０Ｃで反射しない部分が発生するが、それを退けるため桟部３０Ｃを上下同列ではなく、ずらすことで光源２８の光を有効に使用でき、より一層の光源２８の点灯効果が増すことができるようになる。
【００７９】
さらに、輻射体２３と支持板２４間が狭く、下部反射板３０が光源２８からの光を受けにくい角度になった場合上下１段では対処できないが、本実施例のように下部反射板３０を上下方向へ山形形状の多段構成にして傾斜面３０Ｂを形成することにより、奥行き方向のコンパクト化とより少ない光源で安価に光源２８の点灯効果を増すことができるようになるとともに、開口３０Ａを設けることによる強度劣化を桟部３０Ｃの山形状で補強することができ、強度を落とすことなく構成できる。
【００８０】
さらに、光源２８をＬＥＤにしているので、一般のフィラメント発熱型のランプに比べフィラメントを予熱せずに点灯可能なため、また、フィラメント発熱型の光源に比べ高温部が少ないために寿命時間が長く、暖房装置のごとく使用時間が長い場合に故障の頻度を少なくすることができるとともに、光源２８の薄型化が図れ、またその光源２８自身の発熱も少ないため、該機器への温度上昇も心配することなく輻射体２３と支持板２４の外側部に光源２８の配設が容易となる。
【００８１】
また、上部反射板２９、下部反射板３０で光源２８の光を反射するため、光源２８を上部反射板２９、下部反射板３０から離すことができ、光源２８を輻射体２３の外側面側に配設することもでき、何らかの理由で輻射体２３が過熱しても輻射体２３と離れているため光源２８は過熱されることがなく安心、安全な器具を提供できる。
【００８２】
なお、上記実施例で下部反射板３０は、上下方向へ山形形状の多段構成に形成しているが、左右方向へ山形形状の多段構成に形成しても本実施例と略同様の作用効果を期待できるものである。
【００８３】
（実施例２）
本実施例は、実施例１における図１〜図８により説明した暖房装置において、その輻射体の裏面及び光源と上下の反射板の配置構成に特徴を有するので、図１〜図８を利用し、実施例１と同一部分には同一符号を付与して詳細な説明を省略し、異なる部分を中心に説明する。
【００８４】
図１および図３において、輻射体２３は、輻射前面に黒色の遠赤塗料等を施しても、裏面は光源２８の光を反射しやすくなるように無塗装の金属光沢面あるいはメタリック塗装とするなどの手段を施した構成としてある。光源２８は輻射体２３と支持板２４との間の両外側部に設け、両側の光源２８の間で、かつ輻射体２３に輻射体加熱風路２５を介して相対向させた複数の波形部２９ａを有する上部反射板２９と、上部反射板２９の下において、多数の桟部３０Ｃ及び開口３０Ａを有する下部反射板３０を設け、光源２８からの光を上部と下部の反射板２９、３０で反射させ、輻射体２３の裏面側から光源２８の光が貫通孔２７を介して前面に放射するようになっている。
【００８５】
上記実施例において、輻射体２３と支持板２４との間の両外側部に位置する光源２８から光は、上部反射板２９の波形状全体と、下部反射板３０の桟部３０Ｃと、輻射体２３裏面との間で乱反射しあうことにより上下の反射板２９、３０全体で輻射体２３に反射することになり、輻射体２３内から光源２８の光を貫通孔２７より前面に放射する光源２８のバランスが取れやすく、また、光源２８の光量を増大して光源２８の光を有効に使用でき、少ない光源２８で構成が簡単で安価に光源の点灯効果を増すことができるようになる。
【００８６】
（実施例３）
図９は本発明の実施例３における暖房装置の制御部ブロック図である。本実施例は、実施例１における図１〜図８により説明した暖房装置において、その制御部分に特徴を有するので、図１〜図７を利用し、実施例１と同一部分には同一符号を付与して詳細な説明を省略し、異なる部分を中心に説明する。
【００８７】
図９において、制御部３７は、光源２８の光量を周期的に変化させる制御シーケンスを実行するプログラムを格納した周期制御部４６を備えた構成としてある。
【００８８】
上記実施例において、実施例１で説明したように輻射暖房運転を行っている時に光源２８は、その光量が周期制御部４６により周期的に変化させられるので、輻射体２３の裏側から貫通孔２７を介して前面に放射される光源２８の光量の割合も変化する。
【００８９】
従って、機器本体３２の前面側から見える輻射体２３の貫通孔２７を通しての明るさに変化を生じて明暗の繰り返しにより視覚的に表示が明確になるために、輻射体２３が加熱されている状態が強調され、手で機器本体３２の前面に触れる等の不安全行為を防止でき、またその明暗周期を火炎の揺らぎのようにすることで、機器本体の前面である輻射面を視覚的に暖かく表示することが可能となり、視覚的な暖房効果によってより一層の快適な暖房感を得ることができる。
【００９０】
（実施例４）
図１０は本発明の実施例４における暖房装置の制御部ブロック図である。本実施例は、実施例１における図１〜図７により説明した暖房装置において、その制御部分に特徴を有するので、図１〜図７を利用し、実施例１と同一部分には同一符号を付与して詳細な説明を省略し、異なる部分を中心に説明する。
【００９１】
図１０において、制御部３７は輻射体２３の表面温度を計測する表面温度検出手段４７と、その検知した輻射体２３の表面温度に応じて光源２８の光量を変化させる制御シーケンスを実行するプログラムを格納した表面温度表示制御部４８を備えた構成としてある。
【００９２】
上記実施例において、実施例１で説明したように輻射暖房運転を行っている時、表面温度検知手段４７は輻射体２３の表面温度を検知し、そして検知した輻射体２３の表面温度を表面温度表示制御部４８が取り込んで光源２８の光量を変化させるのである。従って、表面温度表示制御部４８は輻射体２３の表面温度が高い場合は光源２８の光量を明るく、輻射体２３の表面温度が低い場合は光源２８の光量を少なくすることによって、輻射体２３の表面温度の高低に応じた表示を輻射体２３ができ、一目で触手等の不安全行為を防止することができるとともに、機器本体３２の前面を見て、その使用時々の輻射暖房能力を、離れた位置からでも的確に知ることもでき、大変使い勝手のよいものにできる。
【００９３】
なお、上記実施例で表面温度検知手段４７は、輻射体２３の表面温度を検知しているが、その目的からしてこれに限られるものではなく、機器本体３２の前面をなす輻射体ユニット３８の前面（ガードともいう）の温度を検知しても本実施例と同様の作用効果を期待できるものである。
【００９４】
（実施例５）
図１０は本発明の実施例５における暖房装置の制御部ブロック図である。本実施例は、実施例１における図１〜図７により説明した暖房装置において、その制御部分に特徴を有するので、図１〜図７を利用し、実施例１と同一部分には同一符号を付与して詳細な説明を省略し、異なる部分を中心に説明する。
【００９５】
図１１において、制御部３７は光源２８の光量を、輻射温度の高低である暖房能力に応じて変化させる暖房能力表示制御部４９を備えた構成としてある。
【００９６】
上記実施例において、実施例１で説明したように輻射暖房運転を行っている時、操作部４０により設定してある暖房能力に応じた信号を取り込んで暖房能力表示制御部４９は、光源２８の光量を変化させる。従って、暖房能力表示制御部４９は、機器本体３２の暖房能力が高い場合は光源２８の光量を明るく、暖房能力が低い場合は光源２８の光量を少なくすることによって、輻射暖房能力の高低の応じた表示ができ、一目で暖房能力の確認ができるとともに、そのために輻射暖房能力の操作も容易にすることができる。
【００９７】
（実施例６）
図１２は本発明の実施例６における暖房装置の輻射部分の要部切欠斜視図である。本実施例は、実施例１における図１〜図８により説明した暖房装置において、その光源部分に特徴を有するので、図１〜図８を利用し、実施例１と同一部分には同一符号を付与して詳細な説明を省略し、異なる部分を中心に説明する。
【００９８】
図１２において、５０は光源２８から発生する光を暖色のオレンジ色に着色するフィルターで、光源２８の前に配設し、輻射体２３の裏側から光源２８の光を暖色のオレンジ色として貫通孔２７を介して前面に放射する構成としてある。
【００９９】
上記実施例において、実施例１で説明したように輻射暖房運転を行っている時、光源２８から発生する光をフィルター５０により暖色のオレンジ色に着色し、そして上下の反射板２９、３０に反射されて輻射体２３の裏側から光源２８の光を暖色のオレンジ色として貫通孔２７を介して前面に放射する。従って、熱源によって加熱された機器本体３２の前面である輻射面から得られる輻射熱によって体感的な暖房効果に加えて、光源２８から発生する着色した暖色光によって、輻射面を視覚的に暖かく表示することが可能となり、視覚的な暖房効果によってより一層の快適な暖房感を得ることができる。
【０１００】
【発明の効果】
以上説明したように本発明は、輻射暖房時に輻射体の略全面から照明効果による視覚暖房を得ることできるとともに、機器本体の前面の高温注意喚起を行い、安全性の高い暖房装置を提供できる。
【図面の簡単な説明】
【図１】本発明の実施例１及び２における暖房装置の輻射暖房運転時の断面図
【図２】同暖房装置の温風暖房運転時の断面図
【図３】同暖房装置の輻射部分の要部切欠斜視図
【図４】同暖房装置における輻射部分の下部反射板の要部正面図
【図５】同暖房装置における輻射部分の下部反射板の要部断面図
【図６】同暖房装置の輻射部分における下部反射板の山形状の断面図
【図７】同暖房装置における輻射部分の概略横断面図
【図８】同暖房装置の制御部ブロック図
【図９】本発明の実施例３における暖房装置の制御部ブロック図
【図１０】本発明の実施例４における暖房装置の制御部ブロック図
【図１１】本発明の実施例５における暖房装置の制御部ブロック図
【図１２】本発明の実施例６における暖房装置の輻射部分の要部切欠斜視図
【図１３】従来の暖房装置の断面図
【符号の説明】
２１  高温ガス発生手段
２３  輻射体
２５  輻射体加熱風路
２５ａ  連通口
２６  採熱面
２７  貫通孔
２８  光源
２９  上部反射板
３０  下部反射板
３１  輻射体遮熱風路
３２  機器本体
３３  温風吹き出し口
３４  送風機
３５  本体上面遮熱風路
３６  風路切替手段
４６  周期制御部（制御部）
４７  表面温度検出手段
４８  表面温度表示制御部（制御部）
４９  暖房能力表示制御部（制御部）
５０  フィルター
【図１】
2004270989.tif 000003
【図２】
2004270989.tif 000004
【図３】
2004270989.tif 000005
【図４】
2004270989.tif 000006
【図５】
2004270989.tif 000007
【図６】
2004270989.tif 000008
【図７】
2004270989.tif 000009
【図８】
2004270989.tif 000010
【図９】
2004270989.tif 000011
【図１０】
2004270989.tif 000012
【図１１】
2004270989.tif 000013
【図１２】
2004270989.tif 000014
【図１３】
2004270989.tif 000015